(57)【要約】  【課題】同一商品のうち、一つだけ残し、他の商品見本パネルの照度を変化させる自動販売機の制御装置を提供することを目的とする。  【解決手段】照度変更設定手段２２にて指定された前記商品展示スペース１２の照度を、照明制御手段２１にて制御することにより、同一の前記商品見本パネル１２のうち、一つの前記商品見本パネル１２だけ残し、他の必要のない前記商品見本パネル１２の照度を下げ、暗くあるいは消灯し、省エネを行うことができる。【選択図】図２
2010015276.tif 000002
【特許請求の範囲】
【請求項１】
商品内容を表す商品見本パネルと、前記商品見本パネルを後方から照らす照明手段を有する商品展示スペースを複数備えた自動販売機において、前記照明手段の照度を個別に制御する照明制御手段と、照度を変更したい前記商品見本パネルを個別に指定できる照度変更設定手段と、前記照明制御手段と前記照度変更設定手段に接続された演算制御部を備え、前記演算制御部は、前記照度変更設定手段にて指定された前記商品見本パネルの照度を、前記照明制御手段にて制御することを特徴とした自動販売機の制御装置。
【請求項２】
収納している商品の内容が判定できる商品コードを個別に設定できる商品コード設定手段を備え、前記演算制御部は、前記商品コード設定手段にて設定された商品コードが同一の前記商品見本パネルのうち、任意の前記商品見本パネルの照度を、前記照明制御手段にて制御することを特徴とした請求項１に記載の自動販売機の制御装置。
【請求項３】
前記商品見本パネルの照度を変更したい時間帯を設定できる照度変更時間帯設定手段を備え、前記演算制御部は、前記照度変更時間帯設定手段にて設定された時間に基づき、該当の前記商品見本パネルの照度を、前記照明制御手段にて制御することを特徴とした請求項１または２に記載の自動販売機の制御装置。
【請求項４】
顧客の商品購入を判定する販売開始判定手段を備え、前記演算制御部は、前記販売開始判定手段の判定に基づき、該当の前記商品見本パネルの照度を、前記照明制御手段にて制御することを特徴とした請求項１から３のいずれか一項に記載の自動販売機の制御装置。
【請求項５】
入金等にて商品購入が可能かどうかを判定する販売可能判定手段を備え、前記演算制御部は、前記販売可能判定手段の判定に基づき、該当の前記商品見本パネルの照度を、前記照明制御手段にて制御することを特徴とした請求項１から３のいずれか一項に記載の自動販売機の制御装置。
【請求項６】
顧客の商品購入を判定する販売開始判定手段と、入金等にて商品購入が可能かどうかを判定する販売可能判定手段と、前記販売開始判定手段と前記販売可能判定手段のどちらを有効にするかを設定できる切換え設定手段を備え、前記演算制御部は、前記切換え設定手段にて設定された内容に基づき、前記販売開始判定手段の判定か、前記販売可能判定手段の判定のどちらかで、該当の前記商品見本パネルの照度を、前記照明制御手段にて制御することを特徴とした請求項１から３のいずれか一項に記載の自動販売機の制御装置。
【発明の詳細な説明】
【技術分野】
【０００１】
本発明は、自動販売機の外扉の正面に配置する複数種の商品見本パネルを装備して、照明したい商品見本パネルを任意に照明できる自動販売機の制御装置に関するものである。
【背景技術】
【０００２】
近年、この種の自動販売機の表示装置は、集客性の向上を図るため、自動販売機を大型化にして、販売品種を増加させ、消費者の購買意欲を増加させることが要求されている。そのため、販売商品を分かり易く表示する方法として、販売商品の図又は写真を印刷した広告パネルを扉の正面に配置し、さらには蛍光灯等の照明装置により広告パネルを明るく光らせ、より視認性を高め、販売商品の理解を深めるようにしているものがある（例えば、特許文献１参照）。
【０００３】
また、照明手段として発光ダイオードを用い、任意の商品見本やポスターパネル等を強調して照明でき、照明したい箇所を効果的に照明できるものもある（例えば、特許文献２）。
【０００４】
以下、図面を参照しながら、従来の自動販売機について説明する。
【０００５】
図４は自動販売機のディスプレイ装置を示すものである。
【０００６】
図において、自動販売機の前面をなす扉１１と、各商品の外観等が示されている商品見本パネル１２と、各商品見本パネル１２をセットでき照明手段にて照明する商品展示スペース１３と、販売可能ランプや売切れランプ等の商品関連ランプを内包し、商品を購入する際に押す選択ボタン１４と、硬貨等を投入したり投入金額を表示したりする顧客操作部１５と、選択した商品を取出す商品取出口１６とが設けられている。
【０００７】
各商品展示スペース１３に商品見本パネル１２がセットされており、顧客が顧客操作部１５にて入金し、販売が可能となった商品に該当する選択ボタン１４の販売可能ランプを点灯させ、顧客が選択ボタン１４を押した場合、該当する商品を商品取出口１６に搬出する。
【特許文献１】実開平３−６６４７６号公報
【特許文献２】特開２００２−３５８５６１号公報
【発明の開示】
【発明が解決しようとする課題】
【０００８】
しかしながら、前記従来の構成では、商品見本パネルを照明したままであるため、消費電力を下げにくく、また環境問題等が世間で取り上げられているなか、省エネ的にも良い影響を与えていないという課題を有していた。
【０００９】
本発明は、前記従来の課題を解決するもので、同一の商品見本パネルのうち、任意の商品パネルの照度を下げることで、省エネを行える自動販売機の制御装置を提供することを目的とする。
【課題を解決するための手段】
【００１０】
前記従来の課題を解決するために、本発明の自動販売機の制御装置は、商品内容を表す商品見本パネルと、前記商品見本パネルを後方から照らす照明手段を有する商品展示スペースを複数備えた自動販売機において、前記照明手段の照度を個別に制御する照明制御手段と、照度を変更したい前記商品見本パネルを個別に指定できる照度変更設定手段と、前記照明制御手段と前記照度変更設定手段に接続された演算制御部を備え、前記演算制御部は、前記照度変更設定手段にて指定された前記商品見本パネルの照度を、前記照明制御手段にて制御するとしたものである。
【００１１】
これによって、同一の前記商品見本パネルのうち、一つの前記商品見本パネルだけ残し、他の必要のない前記商品見本パネルの照度を下げ、暗くあるいは消灯し、省エネを行うことができる。
【発明の効果】
【００１２】
本発明の自動販売機の制御装置は、状況に応じて、商品見本パネルの照明を制御することができる。
【発明を実施するための最良の形態】
【００１３】
請求項１に記載の発明は、商品内容を表す商品見本パネルと、前記商品見本パネルを後方から照らす照明手段を有する商品展示スペースを複数備えた自動販売機において、前記照明手段の照度を個別に制御する照明制御手段と、照度を変更したい前記商品展示スペースを個別に指定できる照度変更設定手段と、前記照明制御手段と前記照度変更設定手段に接続された演算制御部を備え、前記演算制御部は、前記照度変更設定手段にて指定された前記商品展示スペースの照度を、前記照明制御手段にて制御することにより、同一の前記商品見本パネルのうち、一つの前記商品見本パネルだけ残し、他の必要のない前記商品見本パネルの照度を下げ、暗くあるいは消灯し、省エネを行うことができる。
【００１４】
請求項２に記載の発明は、請求項１に記載の発明に、さらに、収納している商品の内容が判定できる商品コードを個別に設定できる商品コード設定手段を備え、前記演算制御部は、前記商品コード設定手段にて設定された商品コードが同一の前記商品見本パネルのうち、任意の前記商品見本パネルの照度を、前記照明制御手段にて制御することにより、オペレーターが必要のない前記商品見本パネルを設定しなくても、ハンディターミナルやリモコン等の商品コード設定手段にて設定された商品コードをもとに、同一商品を判定し、該当の前記商品見本パネルのうち、任意の一つの前記商品見本パネルだけ残し、他の必要のない前記商品見本パネルの照度を下げ、暗くあるいは消灯し、省エネを行え、また設定を省け、オペレーター効率を上げることができる。
【００１５】
請求項３に記載の発明は、請求項１または２に記載の発明に、さらに、前記商品見本パネルの照度を変更したい時間帯を設定できる照度変更時間帯設定手段を備え、前記演算制御部は、前記照度変更時間帯設定手段にて設定された時間に基づき、該当の前記商品見本パネルの照度を、前記照明制御手段にて制御することにより、昼間等は該当する前記商品見本パネルの照度を下げ、暗くあるいは消灯し、省エネを行うが、夜間等は従来通りの照明を実施することで、顧客へアピールし、購入意欲を向上させ、また周囲を明るくすることにより、防犯性を高めることができる。
【００１６】
請求項４に記載の発明は、請求項１から３のいずれか一項に記載の発明に、さらに、顧客の商品購入を判定する販売開始判定手段を備え、前記演算制御部は、前記販売開始判定手段の判定に基づき、該当の前記商品見本パネルの照度を、前記照明制御手段にて制御することにより、顧客がくるまでは、該当する前記商品見本パネルの照度を下げ、暗くあるいは消灯し、省エネを行うが、商品を購入する際は従来通りの照明を実施することで、顧客へアピールし、購入意欲を向上させることができる。
【００１７】
請求項５に記載の発明は、請求項１から３のいずれか一項に記載の発明に、さらに、入金等にて商品購入が可能かどうかを判定する販売可能判定手段を備え、前記演算制御部は、前記販売可能判定手段の判定に基づき、該当の前記商品見本パネルの照度を、前記照明制御手段にて制御することにより、商品を購入するまでは、該当する前記商品見本パネルの照度を下げ、暗くあるいは消灯し、省エネを行うが、商品の購入が可能になった該当の前記商品見本パネルは従来通りの照明を実施することで、顧客に購入可能な商品を知らしめ、顧客の操作性を向上させることができる。
【００１８】
請求項６に記載の発明は、請求項１から３のいずれか一項に記載の発明に、さらに、顧客の商品購入を判定する販売開始判定手段と、入金等にて商品購入が可能かどうかを判定する販売可能判定手段と、前記販売開始判定手段と前記販売可能判定手段のどちらを有効にするかを設定できる切換え設定手段を備え、前記演算制御部は、前記切換え設定手段にて設定された内容に基づき、前記販売開始判定手段の判定か、前記販売可能判定手段の判定のどちらかで、該当の前記商品見本パネルの照度を、前記照明制御手段にて制御することにより、顧客へアピールし、購入意欲を向上させるか、あるいは顧客に購入可能な商品を知らしめ、顧客の操作性を向上させるか、をロケーションに応じて切換えることができる。
【００１９】
以下、本発明の実施の形態について、図面を参照しながら説明するが、従来例または先に説明した実施の形態と同一構成については同一符号を付して、その詳細な説明は省略する。なおこの実施の形態によってこの発明が限定されるものではない。
【００２０】
（実施の形態１）
図１は本発明の実施の形態１による自動販売機の正面図である。図２は同実施の形態の自動販売機の制御装置の機能ブロック図である。図３は同実施の形態の動作を示すフローチャートである。
【００２１】
自動販売機の構成は、従来技術と同様であり省略する。図２において、照明制御手段２１は、商品見本パネル１２を後方から照らす照明手段の照度を個別に制御する。尚、照明手段には発光ダイオードや蛍光灯、ランプなどが挙げられる。照度変更設定手段２２は、照度を下げ、暗くあるいは消灯させたい商品見本パネル１２を、リモコンや選択ボタン等にて設定することができる。
【００２２】
照度変更箇所記憶手段２３は、照度変更設定手段２２にて設定された商品見本パネル１２を記憶する。商品コード設定手段２４は、自動販売機の各収納庫にどのような商品を収容したかを、ハンディターミナルやリモコン等にて設定することができる。商品コード記憶手段２５は、商品コード設定手段２４にて設定された商品コードを記憶する。照度変更時間帯設定手段２６は、照度を変更させたい時間帯をリモコン等にて設定することができる。照度変更時間帯記憶手段２７は、照度変更時間帯設定手段２６にて設定された照度変更時間帯を記憶する。販売開始判定手段２８は、入金や選択ボタン押し等にて販売が開始されたか否かを判定する。
【００２３】
販売可能判定手段２９は、入金等により自動販売機の各収納庫のうち、どの商品が販売可能であるかを判定する。切換え設定手段３０は、販売開始判定手段２８の判定と販売可能判定手段２９の判定のどちらを有効にするかをリモコン等にて設定することができる。
【００２４】
切換え記憶手段３１は、切換え設定手段３０にて設定された内容を記憶する。演算制御部３２は、照度変更時間帯記憶手段２７、販売開始判定手段２８、販売可能判定手段２９、切換え記憶手段３１に基づき、照度変更すべきか否かを判定し、照度変更すると判定した場合、照度変更箇所記憶手段２３に記憶されている商品見本パネル１２の照度を照明制御手段２１にて照度を下げ、暗くあるいは消灯させる。
【００２５】
尚、照度変更箇所記憶手段２３にデータが記憶されていない場合、商品コード記憶手段２５に記憶されている商品コードにて、同一のものを選択し、該当する商品見本パネル１２のうち、一つを残し、あとの商品見本パネル１２の照度を照明制御手段２１にて照度を下げ、暗くあるいは消灯させる。
【００２６】
以上のように構成された自動販売機の制御装置について、以下その動作を図３のフローチャートをもとにして説明する。
【００２７】
まず、演算制御部３２は、照度変更設定手段２２にて、自動販売機に付属しているリモコンや選択ボタン等の操作に応じて、照度を変更する商品見本パネル１２が設定されているか否かを判定する（ＳＴＥＰ１）。照度変更設定手段２２にて設定された商品見本パネル１２を、照度変更箇所記憶手段２３に記憶する（ＳＴＥＰ２）。
【００２８】
商品コード設定手段２４にて、オペレーター等が持っているハンディターミナルや自動販売機に付属しているリモコン等の操作に応じて、自動販売機の各収納庫別に商品コードが設定されたか否かを判定する。尚、設定するのは商品コードに限らず、商品を区別できるものならなんでもよい（ＳＴＥＰ３）。商品コード設定手段２４にて設定された商品コードを、商品コード記憶手段２５に記憶する（ＳＴＥＰ４）。
【００２９】
照度変更時間帯設定手段２６にて、自動販売機に付属しているリモコン等の操作に応じて、照度を変更させたい時間帯が設定されたか否かを判定する（ＳＴＥＰ５）。照度変更時間帯設定手段２６にて設定された時間帯を、照度変更時間帯記憶手段２７に記憶する（ＳＴＥＰ６）。切換え設定手段３０にて、自動販売機に付属しているリモコン等の操作に応じて、販売開始判定手段２８の判定と販売可能判定手段２９の判定のどちらを有効にするかを設定されたか否かを判定する（ＳＴＥＰ７）。
【００３０】
切換え設定手段３０にて設定されたデータを、切換え記憶手段３１に記憶する（ＳＴＥＰ８）。現在時刻が照度変更時間帯記憶手段２７に記憶されている時間帯内であり、切換え記憶手段３１にて販売開始判定手段２８の判定が有効になっている場合は販売開始判定手段２８にて販売開始となっていない場合、また、切換え記憶手段３１にて販売可能判定手段２９が有効になっている場合は販売可能となっていない場合、照度変更を実施すると判定し、それら以外は照度変更を実施しないと判定する（ＳＴＥＰ９）。
【００３１】
照度変更を実施しないと判定した場合、照明制御手段２１にて、従来通りの照明を行う（ＳＴＥＰ１０）。照度変更を実施すると判定した場合、照度変更箇所記憶手段２３に記憶されている商品見本パネル１２の照度を照明制御手段２１にて照度を下げ、暗くあるいは消灯させる。尚、照度変更箇所記憶手段２３にデータが記憶されていない場合、商品コード記憶手段２５に記憶されている商品コードにて、同一のものを選択し、該当する商品見本パネル１２のうち、一つを残し、あとの商品見本パネル１２の照度を照明制御手段２１にて照度を下げ、暗くあるいは消灯させる（ＳＴＥＰ１１）。
【００３２】
以上のように本実施の形態１の自動販売機の制御装置によれば、照度変更設定手段２２にて指定された前記商品展示スペース１３の照度を、照明制御手段２１にて制御することにより、同一の前記商品見本パネル１２のうち、一つの前記商品見本パネル１２だけ残し、他の必要のない前記商品見本パネル１２の照度を下げ、暗くあるいは消灯し、省エネを行うことができる。
【００３３】
また、商品コード設定手段２４にて設定された商品コードが同一の商品見本パネル１２のうち、任意の商品見本パネル１２の照度を、照明制御手段にて制御することにより、オペレーターが必要のない商品見本パネル１２を設定しなくても、ハンディターミナルやリモコン等の商品コード設定手段２４にて設定された商品コードをもとに、同一商品を判定し、該当の商品見本パネル１２のうち、任意の一つの商品見本パネル１２だけ残し、他の必要のない商品見本パネル１２の照度を下げ、暗くあるいは消灯し、省エネを行え、また設定を省け、オペレーター効率を上げることができる。
【００３４】
また、照度変更時間帯設定手段２６にて設定された時間に基づき、該当の商品見本パネル１２の照度を、照明制御手段２１にて制御することにより、昼間等は該当する商品見本パネル１２の照度を下げ、暗くあるいは消灯し、省エネを行うが、夜間等は従来通りの照明を実施することで、顧客へアピールし、購入意欲を向上させ、また周囲を明るくすることにより、防犯性を高めることができる。
【００３５】
また、販売開始判定手段２８の判定に基づき、該当の商品見本パネル１２の照度を、照明制御手段２１にて制御することにより、顧客がくるまでは、該当する商品見本パネル１２の照度を下げ、暗くあるいは消灯し、省エネを行うが、商品を購入する際は従来通りの照明を実施することで、顧客へアピールし、購入意欲を向上させることができる。
【００３６】
また、販売可能判定手段２９の判定に基づき、該当の商品見本パネル１２の照度を、照明制御手段２１にて制御することにより、商品を購入するまでは、該当する商品見本パネル１２の照度を下げ、暗くあるいは消灯し、省エネを行うが、商品の購入が可能になった該当の商品見本パネル１２は従来通りの照明を実施することで、顧客に購入可能な商品を知らしめ、顧客の操作性を向上させることができる。
【００３７】
また、切換え設定手段３０にて設定された内容に基づき、販売開始判定手段２８の判定か、販売可能判定手段２９の判定のどちらかで、該当の商品見本パネル１２の照度を、照明制御手段２１にて制御することにより、顧客へアピールし、購入意欲を向上させるか、あるいは顧客に購入可能な商品を知らしめ、顧客の操作性を向上させるか、をロケーションに応じて切換えることができる。
【産業上の利用可能性】
【００３８】
以上のように、本発明にかかる自動販売機の制御装置は、状況に応じて、商品見本パネルの照明を制御することができるので、消費者の購買意欲の増加と、省エネを図りたい自動販売機に適している。
【図面の簡単な説明】
【００３９】
【図１】本発明の実施の形態１における自動販売機の正面図
【図２】同実施の形態の自動販売機の制御装置のブロック図
【図３】同実施の形態の自動販売機の制御装置の動作を示すフローチャート
【図４】従来の自動販売機の正面図
【符号の説明】
【００４０】
１１  扉
１２  商品見本パネル
１３  商品展示スペース
２１  照明制御手段
２２  照度変更設定手段
２３  照度変更箇所記憶手段
２４  商品コード設定手段
２５  商品コード記憶手段
２６  照度変更時間帯設定手段
２７  照度変更時間帯記憶手段
２８  販売開始判定手段
２９  販売可能判定手段
３０  切換え設定手段
３１  切換え記憶手段
３２  演算制御部
【図２】
2010015276.tif 000003
【図３】
2010015276.tif 000004
【図４】
2010015276.tif 000005
【図１】
2010015276.tif 000006